(57)【要約】      （修正有）【課題】ユーザーを互いに紹介するシステムを提供する。【解決手段】人が必要とする分野、特に人生のパートナーあるいは人間関係を求めて、人、特に逆の性別のひとを紹介するためのハードウエアに関する。本システムは、個人の特徴を書き込み及び読み出すための装置１と、特徴メモリーユニット２と、特徴コード化ユニット３と、トランスミッター４と、「受信／送信」スイッチ５と、アンテナユニット６と、レシーバー７と、特徴デコード化ユニット８と、情報ディスプレイユニット９とを有する。ユーザーを互いに紹介するシステムをより簡単かつ効果的にする。【選択図】図１
0003195865.tif 000002
【実用新案登録請求の範囲】
【請求項１】
ユーザーの個人的な特徴を書き込みかつ読み出す装置と、特徴メモリーユニットと、特徴コード化ユニットと、トランスミッターと、レシーバーと、特徴デコード化ユニットと、「受信／送信」スイッチと、情報ディスプレイユニットと、アンテナユニットを有するユーザーを互いに紹介するシステムであって、個人的な特徴を書き込みかつ読み出す装置の出力を特徴メモリーユニットの入力に接続し、特徴メモリーユニットの出力を特徴コード化ユニットの入力に接続し、特徴コード化ユニットの出力をトランスミッターの入力に接続し、トランスミッターの出力を「受信／送信」スイッチの第1の入力に接続し、「受信／送信」スイッチの第1の出力をアンテナユニットの第1の入力に接続し、アンテナユニットの第1の出力を「受信／送信」スイッチの第２の入力に接続し、「受信／送信」スイッチの第２の出力をレシーバーの入力に接続し、かつレシーバーの出力を特徴デコード化ユニットの入力に接続しており、該システムは更にひと組の視覚で確認可能なマーカーを有し、該マーカーは本システムのユーザーにマーカーを装着することを可能とし、レシーバーの出力は情報ディスプレイユニットの入力に接続されていることを特徴とする、ユーザーを互いに紹介するシステム。
【考案の詳細な説明】
【技術分野】
【０００１】
本考案は、人にとって不可欠な分野に関し、より詳しく述べると生涯のパートナーあるいは人との関係を模索する人、特に異性の人を紹介するハードウエアに関する。
【背景技術】
【０００２】
ユーザーを互いに紹介するための既知のシステムは、少なくとも２つのパーソナル通信装置と、中央コントロール装置と、ユーザーデータベースと、ソフトウエアからなり、このシステムは、ユーザーのデータベースに入力されたユーザーの顔の少なくとも１つの画像を参照して選択された少なくとも１つの顔画像を処理し比較する計算モジュールを有する。ロシア実用新案Ｎｏ．７００１８Ｕ１（ＲＵ７００１８Ｕ１）参照。
【０００３】
このシステムの欠点は、パーソナル通信装置に加えて、該システムは中央コントロール装置とユーザーデータベースとを有し；計算モジュールはユーザーの顔の1つの画像を参照して選択された１つの顔画像を処理し比較するが、人が感じるような、直接視覚的な印象に対しほぼ代替となる物を与えることは出来ない。直接視覚的な印象は多数の細目事柄や、特徴や直感に基づくもので、それらの大部分は公式化してコンピュータで処理することは出来ない。
【０００４】
ユーザーを著名人に紹介する他の既知の通信システムは、少なくとも２つのトランシーバー・パーソナル・ユーザー装置と、ローカルコントロール装置と、中央コントロール装置とを有し、これらのトランシーバー・パーソナル・ユーザー装置は、ローカルコントロール装置によってそれらとの間のワイヤレス通信を可能とし、中央コントロール装置はソフトウエアとユーザーについての情報データベースを有するコンピュータが基となっており、かつローカルコントロール装置に連結され；著名人の少なくとも１つの追加のトランシーバー装置が該システムに導入され、かつトランシーバー・パーソナル・ユーザー装置はモバイル通信ターミナルとされ、ローカルコントロール装置は移動携帯ネットワーク・オペレーター・ステーションとし、中央コントロール装置はサーバーとされ、サーバーはまたユーザーのモバイル通信ターミナルから著名人の該追加のトランシーバー装置に所定の時間内に行われたコールを計算するようにされ、該所定の時間が経過した後、該サーバーはコマンドが移動携帯ネットワーク・オペレーター・ステーションに送られたことを確認するために用いられ、該コマンドは著名人の該追加のトランシーバー装置に対して所定の時間内に他のモバイルユーザー通信ターミナルよりもより多くのコールを行ったユーザーのモバイル通信ターミナルを接続する指示を出し、もし所定の時間内に異なったユーザーから行われたコール数が同一である場合には、サーバーは移動携帯ネットワーク・オペレーター・ステーションにコマンドを送り、著名人の該追加のトランシーバー装置に対してより早くコールを行ったユーザーのモバイル通信ターミナルを接続する指示を出すようになっている。ロシア特許Ｎｏ．ＲＵ２２７９１９１Ｃ１参照。
【０００５】
本システムの欠点は、システムは特定の著名人−歌手、作曲家、スポーツマン等−に複数のユーザーを紹介するので、それには機能的な制限がある。知らない人に紹介をされたいという著名人の相互的な要求が存在するかどうかは、疑問であるし、また問題もあり得るさらに、該システムは移動携帯ネットワークのオペレーターを必要とし、このようなシステムは複雑な構成を有し、かつ自律的なものではなく、該オペレーターは携帯ネットワークの別のロードを伴い、かつユーザーに対して余分の費用を掛ける。
【０００６】
ユーザーを互いに紹介する他の既知の通信システムは、少なくとも２つのトランシーバー・パーソナル装置と、ローカルコントロール装置とを有し、トランシーバー・パーソナル装置はローカルコントロール装置によってトランシーバー・パーソナル装置の間でワイヤレスに通信可能とするようになっており；また本システムはコンピュータに基づく中央コントロール装置を有し、ローカルコントロール装置に接続され、該コンピュータはソフトウエア―とユーザーに関する情報データベースを有する。米国特許公開公報Ｎｏ．５０８６３９４参照。
【０００７】
パーソナルトランシーバー装置に加えて、該システムはローカルコントロール装置と中央コントロール装置とを有するので、複雑でもある。該システムは大量の質問データとユーザー特徴の収集を必要とし、ローカルコントロールステーションは大量の数の電話コールによって悲鳴をあげることになり、それによってシステムのオペレーションの全体の信頼性を低下させることになる。セントラルコントロールステーションからローカルコントロールステーションに大量の情報を移送するので、ユーザーを互いに紹介するのに必要とされる時間が長くなる。
【０００８】
本考案のシステムに最も類似するシステムが、ロシア特許Ｎｏ．ＲＵ２１６４０５５Ｃ２に記載されている。このシステムは、一組の個人の携帯装置を有し、各装置はユーザーの個人的な特徴を書き込み及び読み出すための装置と、特徴メモリーユニットと、特徴コード化ユニットと、トランスミッターと、レシーバーと、特徴デコーディングユニットと、「受信／送信」スイッチと、パネル形状の情報ディスプレイ手段と、アンテナユニットと、さらにシンクロナイザーと、特徴マッチング回路と、シグナル検知回路と、特徴マッチングシグナル発生ユニットとマルチプレクサーとを有する。
【０００９】
このシステムは携帯ネットワークのオペレーターを必要としないので、自律的であるが、上記他の類似のシステムと同様、このシステムは、公式な特徴−参照特徴及び特定の人物の特徴をマッチングした結果として紹介を行うが、これらのものはパーソナルな印象の代替えとなるものではなく、ユーザーを効果的に紹介するための前提条件としては十分には機能を果たすことはできず；紹介対象者は紹介開始者によって意識的かつ視覚的な印象に基づいて選択されるのではなく、その代わりに装置のメモリー内に予め定義された情報を機械的に処理しマッチングをする装置によって紹介対象者を選択するが、この情報は多数の特徴を反映するが、必ずしも正確ではない。しかしながら、非常に多量の公式的な特徴でも、個人の感覚的な印象の代替えとなることはできない。
【００１０】
その結果、全ての正式な特徴が当事者の要求にマッチしたとしても、フェイス−ツー−フェイスに会った際にはこれらの当事者は互いに好かないこともあり得るし、その結果両者にとっては逃れ難く不愉快な気まずい状況になってしまうこともある。また、過度の期待によって失望してしまうということは注目に値することであり、このようなことは直接ではなく紹介された場合には実際常にあることである。人は通常意識的にあるいは無意識的に自身をロマンチックに描いて予め将来紹介される対象を思い描きがちであるが、このように空想で人物像を思い描いても視覚確認で見る実際のイメージとは当然一致することはあり得ない。このようなミスマッチは、客観的に見て実際のイメージが想像していた人物像より悪くはない場合でも、「この人は私が期待していたような人ではない」というある種の心理的なフラストレーションを起こすのを避けられない。別の重要な問題は、紹介対象者が彼／彼女は当該個人によってではなく、装置によって選ばれ、かつ紹介は彼／彼女の個人的な魅力によるものではなく、装置のメモリーに保存された当事者の公式な特徴がマッチしたことによるものであるという事実にいつか気がつくということであり、従って、ある人がこの人を魅力的だと見て、いくつかの個人的資質のためにこの人はユニークで特別であるという理由で紹介開始者が紹介を行うという選択を行ったということを知ることによる選り抜きで感情的かつ心理的な満足を得られないといことが、このプロトタイプの方法の欠点である。このような個人的資質は、恐らく一組の特徴として公式化できないが視覚で認識することにより評価されるものである。
【００１１】
このプロトタイプシステムの別の欠点は、装置が当事者の正式な特徴が合うと決めた後に、例えば電話やインターネット等によりパーソナルに目で確認する前に、装置のパネル上に示された対応コンタクト情報を用いて、さらに別の離れた所で通信する必要があるというところにある。このことは、紹介行為を複雑にし、かつ阻害することにもなる。さらに、プロトタイプのシステムは多数の上記特徴を比較するためのエレメントを含むため、構造がむしろ複雑になる。
【００１２】
従って、このプロトタイプのシステムの欠点は、効率性が低く、複雑で、従って費用が高いことである。
【先行技術文献】
【特許文献】
【００１３】
【特許文献１】ロシア実用新案Ｎｏ．７００１８Ｕ１（ＲＵ７００１８Ｕ１）
【特許文献２】ロシア特許Ｎｏ．ＲＵ２２７９１９１Ｃ１
【特許文献３】米国特許公開公報Ｎｏ．５０８６３９４
【特許文献４】ロシア特許Ｎｏ．ＲＵ２１６４０５５Ｃ２
【考案の概要】
【考案が解決しようとする課題】
【００１４】
本実用新案の目的は、ユーザーを互いに紹介するシステムをより簡便かつ効果的にすることにある。
【課題を解決するための手段】
【００１５】
本考案によれば、ユーザーの個人的な特徴を書き込みかつ読み出す装置と、特徴メモリーユニットと、特徴コード化ユニットと、トランスミッターと、レシーバーと、特徴デコード化ユニットと、「受信／送信」スイッチと、情報ディスプレイユニットと、アンテナユニットを有するユーザーを互いに紹介するシステムが提供され、ユーザーの個人的な特徴を書き込みかつ読み出す装置の出力を特徴メモリーユニットの入力に接続し、特徴メモリーユニットの出力を特徴コード化ユニットの入力に接続し、特徴コード化ユニットの出力をトランスミッターの入力に接続し、トランスミッターの出力を「受信／送信」スイッチの第1の入力に接続し、「受信／送信」スイッチの第1の出力をアンテナユニットの第1の入力に接続し、アンテナユニットの第1の出力を「受信／送信」スイッチの第２の入力に接続し、「受信／送信」スイッチの第２の出力をレシーバーの入力に接続し、レシーバーの出力を特徴デコード化ユニットの入力に接続しており、該システムは更にひと組の視覚で認識可能なマーカーを有し、該マーカーは本システムのユーザーにマーカーを装着することを可能とし、レシーバーの出力は情報ディスプレイユニットの入力に接続されている。
【００１６】
本出願人は、本考案と同一のエンジニアリング解法についてのデータを含む情報源を今迄見つけておらず、これにより本考案は「新規性（N)」の基準に合致すると結論づけることができる。
【図面の簡単な説明】
【００１７】
【図１】本考案は、例として本システムの概略を示す図面を参照して更に説明をする。
【考案を実施するための形態】
【００１８】  本考案は、ユーザーの個人的な特徴を書き込みかつ読み出す装置（１）を有する。この装置は、この具体的実施例においてはキーボードを備えた、特にラップトップ型の個人のパーソナルコンピュータとすることができるが、本装置は個人の携帯装置に一体化した小型のキーボードを備えたプロセッサーとすることができる。第1のシナリオにおいて、コンピュータはUSBインターフェイスを介して特徴メモリーユニット（２）の入力に接続され、第2のシナリオでは、プロセッサーの出力は携帯装置内部の特徴メモリーユニット（２）の入力に接続される。特徴メモリーユニット（２）は、（公序良俗違反につき、不掲載）と類似するメモリーユニットとすることができる。特徴メモリーユニット（２）の出力は特徴コード化ユニット（３）の入力に接続され、その出力は無線シグナルトランスミッター（４）に接続され、トランスミッターは無許可性無線周波数で稼働し、強度は低い。トランスミッター（４）の出力は三位置「受信／通信」スイッチ（５）の入力に接続され、その第1の出力はアンテナユニット（６）の第1の入力に接続され、該アンテナユニットの第1の出力はスイッチ（５）の第2の入力に接続されている。スイッチ（５）の第2の出力は、トランスミッター（４）の入力に接続されている。これらの端部位置では、三位置スイッチ（５）は携帯装置を「送信」あるいは「受信」モードに切り替え、スイッチ（５）の中央位置において、装置はオフにされる。レシーバー（７）の出力は特徴デコード化ユニット（８）の入力に接続され、その出力は情報ディスプレイユニット（９）の入力に接続される。この具体的実施例では、ユニット（４）と（７）はトランシーバーM80-5431022の一部を構成し、特徴コード化ユニット（３）はマイクロ回路KMOP ｋ176とされ、特徴デコード化ユニット（８）はマイクロ回路KMOP ｋ561とされている。情報ディスプレイユニット（９）はLCDディスプレイとされるが、該ユニットはLED回路とすることができる。アンテナユニット（６）は、狭ビームアンテナとする。
【００１９】
個人的な特徴を書き込みかつ読みだす装置（１）及び個人の携帯装置に加えて、システムはひと一組の目視で認識可能なマーカーを有し、該マーカーはシステムのユーザーが該マーカーを装着することを可能とする。この具体的実施例では、マーカーは、マーカーをユーザーの衣服や頭のウエアに固定する手段（クランプやピン）を設けた特別なバッジとする。例えば、スカーフや他の特別な属性等の視覚で認識可能なマーカーを用いることができる。視覚で認識可能なマーカーは、システムのユーザーが互い認識することを可能とする。マーカー自体は、それを身につける人がシステムのユーザーであることを特に示すものではない。当然、マーカーの目的はシステムのユーザーでない他の人々にも知られ得るが、このようなマーカーを活用することによってインターネット上あるいは専用のプリント材に写真に対して個人の宣伝を貼り付けることをさらに推奨する必要はない。過度に恥ずかしがらないユーザーにとっては、マーカーを利用することは問題とはならない。
【００２０】
本システムは、以下の態様で利用する。
紹介を開始しようとする人は、まさに自然な「偶然に」紹介された間に生じるような感じで、外側から人目を引く対象者を紹介可能性のある目的で視覚を通して認識し、その人に特別な当該マーカーがあるか無いかを決めることになる。マーカーがあれば、紹介の開始者はアンテナを紹介対象者の方向に向けて、その個人的な特徴についての情報を含んだ無線シグナルを送る。この目的のために、スイッチ（５）を「送信」モードに切り替える。本システムの全てのユーザーのレシーバー及びトランスミッターは、この具体的実施例では、５０ｍの半径内で同一周波数で稼働する。ユーザーの個人的な特徴は、装置（１）によって特徴メモリーユニット（２）内に入力されている。この紹介システムは無線電子装置に加えて視覚的に認識可能なマーカーを含むので、ユーザーの外見に関わる個人的な多くの特徴を入力し、処理しかつマッチングさせる必要はなくなる。本具体的実施例では、最もよく考慮されるいくつかの主要な基本的な特徴：性別、年齢、恐らく同様に居住地（国、市、地方）のみを入力すればよい。
【００２１】
特徴コード化ユニット（３）は、異なる種類の特徴についての情報を順番に整理し、その情報を均一なデータ形式、特にNMIAに変換する。特徴コード化ユニット（３）からのシグナルはトランスミッター（４）に供給され、その出力からシグナルがアンテナ（６）に送られる。シグナルを送信した後、紹介開始者は装置を「受信」モードに切り替える。この特定の瞬間紹介対象者は紹介目的に受動的なコンタクトを行うこともできるし、受動的なコンタクトを希望することもでき、即ち積極的には紹介対象者を探さずに、彼／彼女の個人の携帯装置の「受信／送信」スイッチ（５）を「受信」モードにセットさせる。レシーバー（７）によって受信されたシグナルは特徴デコード化ユニット（８）に供給され、次に紹介開始者の個人的な特徴についての情報がユニット（９）のディスプレイに表示される。
【００２２】
この情報が紹介対象者の要求にマッチすれば、紹介対象者は通信に対して同意を表明する応答シグナルを直ちに送るか、あるいは該シグナルを送る前に見渡し、マーカーにより目視で紹介開始者を確認し彼／彼女の外観を見定め、そして応答シグナルを送るかどうかを決めることもできる。紹介対象者から応答シグナルを受け取った後、紹介開始者は視覚で選択した紹介対象に近づいて、彼/彼女と接触することができる。紹介対象者が視覚的に紹介開始者を視覚で確認し交信することに同意した場合は、彼／彼女も紹介開始者に接近を開始することもできる。紹介対象者は近くに目立つマーカーをつけた幾人かの人を視覚で確認した場合には、彼／彼女は彼らの立ち振る舞い、例えば彼らは今装置を持っているかどうかとか、顔の表情とか見つめている方向とかを見て、彼らのどの一人が紹介開始シグナルを送ったかの決定を試みることができる。２人以上の近くの人が同一の紹介対象者にシグナルを送っていて確認される可能性は非常に小さいが、このようなシナリオでも彼らたちの一人と会話することも可能である。この目的のため、紹介対象者は最も魅力的なシグナルの送り手に接近して、応答無線シグナルを送ってあるいは口頭で直接送り手に話しかけて個人的にコミュニケーションを取ることに自ら同意を表わすこともできる。
【００２３】
両方が見てお互いを好んだ後のみあるいは紹介対象者が紹介開始者に魅力的と思われてそして交信に同意を示すシグナルを送った場合に直接の交信を開始するので、本考案の技術的解決方法により、紹介を非常により効率的かつ選択性が高いものとする。本システムは、装置あるいは仲介者を経ないで自然に紹介された場合により近い形で、ハードウエアを用いて紹介を行うことができる。紹介対象者は、彼／彼女が他の人ではなく公式的な特徴に基づいて装置によって選択されたことを知ることにより生ずる否定的な感情を持つことを防止される。逆に、紹介対象者は、他の人が好んでいると知って嬉しく思うかも知れない。また、紹介開始者も紹介同意のシグナルを受信して積極的な感情を持つかもしれない。本考案のシステムによって、このような全てのことが紹介の間に自然な関係の感情を極めて確実なものとし、かつ応答シグナルが送られないで紹介がなかったとしても、一方あるいは両者が個人的に接触して失望を感じた場合にプロトタイプのシステムを実行する間に生ずる可能性のあるような厄介な状況にはならないであろう。さらに、本システムの全てのユーザーは当該顕著な視覚確認可能なマーカーをデモンストレーションして予め自身は紹介を受け入れる用意があることのマークを付けるので、このような紹介の対象者が紹介を受けるのを全く望んでいない場合に、自然に偶然的に紹介を受ける際に生じ得る多くの否定的なエチケット上かつ心理的な問題が起きるのを回避する。
【００２４】
本システムでは視覚で確認できるマーカーが存在するので、外観や身体的データについての多数の特徴の記録を保存したり、公式化したり、マッチングする必要はなく、それによりこのような機能を行うのに必要とされるユニットをなくして個人の携帯装置を非常に簡単で廉価とすることができるというのが別の重要な技術的成果である。
【産業上の利用可能性】
【００２５】
本システムは、上述のあるいは他の標準のエレメント基盤を用いて実行することができる。個人の携帯装置の組み立て及び調整は、工場状況下で行う。これにより、本考案は「産業上利用可能性」（IA)の基準に合致していると結論付けることができると出願人は考える。
【図１】
0003195865.tif 000003
【手続補正書】
【提出日】平成26年7月25日(2014.7.25)
【手続補正１】
【補正対象書類名】実用新案登録請求の範囲
【補正対象項目名】請求項１
【補正方法】変更
【補正の内容】
【請求項１】
ユーザーの個人的な特徴を書き込みかつ読み出す装置と、特徴メモリーユニットと、特徴コード化ユニットと、トランスミッターと、レシーバーと、特徴デコード化ユニットと、受信／送信スイッチと、情報ディスプレイユニットと、アンテナユニットを有するユーザーを互いに紹介するシステムであって、個人的な特徴を書き込みかつ読み出す装置の出力を特徴メモリーユニットの入力に接続し、特徴メモリーユニットの出力を特徴コード化ユニットの入力に接続し、特徴コード化ユニットの出力をトランスミッターの入力に接続し、トランスミッターの出力を受信／送信スイッチの第1の入力に接続し、受信／送信スイッチの第1の出力をアンテナユニットの第1の入力に接続し、アンテナユニットの第1の出力を受信／送信スイッチの第２の入力に接続し、受信／送信スイッチの第２の出力をレシーバーの入力に接続し、かつレシーバーの出力を特徴デコード化ユニットの入力に接続しており、該システムは更にひと組の視覚で確認可能なマーカーを有し、該マーカーは本システムのユーザーにマーカーを装着することを可能とし、レシーバーの出力は情報ディスプレイユニットの入力に接続されていることを特徴とする、ユーザーを互いに紹介するシステム。
【手続補正２】
【補正対象書類名】明細書
【補正対象項目名】００１８
【補正方法】変更
【補正の内容】
【００１８】
本考案は、ユーザーの個人的な特徴を書き込みかつ読み出す装置（１）を有する。この装置は、この具体的実施例においてはキーボードを備えた、特にラップトップ型の個人のパーソナルコンピュータとすることができるが、本装置は個人の携帯装置に一体化した小型のキーボードを備えたプロセッサーとすることができる。第1のシナリオにおいて、コンピュータはUSBインターフェイスを介して特徴メモリーユニット（２）の入力に接続され、第2のシナリオでは、プロセッサーの出力は携帯装置内部の特徴メモリーユニット（２）の入力に接続される。特徴メモリーユニット（２）の出力は特徴コード化ユニット（３）の入力に接続され、その出力は無線シグナルトランスミッター（４）に接続され、トランスミッターは無許可性無線周波数で稼働し、強度は低い。トランスミッター（４）の出力は三位置「受信／通信」スイッチ（５）の入力に接続され、その第1の出力はアンテナユニット（６）の第1の入力に接続され、該アンテナユニットの第1の出力はスイッチ（５）の第2の入力に接続されている。スイッチ（５）の第2の出力は、トランスミッター（４）の入力に接続されている。これらの端部位置では、三位置スイッチ（５）は携帯装置を「送信」あるいは「受信」モードに切り替え、スイッチ（５）の中央位置において、装置はオフにされる。レシーバー（７）の出力は特徴デコード化ユニット（８）の入力に接続され、その出力は情報ディスプレイユニット（９）の入力に接続される。この具体的実施例では、ユニット（４）と（７）はトランシーバーM80-5431022の一部を構成し、特徴コード化ユニット（３）はマイクロ回路KMOP ｋ176とされ、特徴デコード化ユニット（８）はマイクロ回路KMOP ｋ561とされている。情報ディスプレイユニット（９）はLCDディスプレイとされるが、該ユニットはLED回路とすることができる。アンテナユニット（６）は、狭ビームアンテナとする。